(57)【要約】【課題】１枚目の用紙の搬送中に２枚目の用紙が搬送ベルトに吸着することに伴う重送の発生を防止でき、用紙を１枚ずつ給紙できる給紙装置、及び画像形成システムを提供する。【解決手段】給紙装置は、用紙収容部と、用紙収容部に収容されている用紙を吸着して搬送する搬送ベルトと、用紙収容部に収容されている用紙を吸引し、搬送ベルトに吸着させるエアー吸引部と、用紙収容部に収容されている用紙に浮上エアーを送風して用紙を浮上させる浮上エアー送風部と、用紙搬送方向における搬送ベルトの搬送面の範囲内の所定の位置に配置され、１枚目の用紙の後端が所定の位置を通過したことを検出する用紙後端検出部と、１枚目の用紙の搬送中に２枚目の用紙を浮上させるための浮上エアーを送風させるとともに、用紙後端検出部の検出結果に基づいて、２枚目の用紙が搬送ベルトに吸着したタイミングで、浮上エアーの送風を停止させる制御部と、を備える。【選択図】図６
2015016954.tif 000002
【特許請求の範囲】
【請求項１】
多数枚の用紙を収容する用紙収容部と、
全面に複数の吸引孔を有し、前記用紙収容部に収容されている用紙を吸着して搬送する無端状の搬送ベルトと、
前記搬送ベルトに内包され、前記吸引孔を介して前記用紙収容部に収容されている用紙を吸引し、前記搬送ベルトに吸着させるエアー吸引部と、
前記用紙収容部に収容されている用紙に浮上エアーを送風して用紙を浮上させる浮上エアー送風部と、
用紙搬送方向における前記搬送ベルトの搬送面の範囲内の所定の位置に配置され、１枚目の用紙の後端が前記所定の位置を通過したことを検出する用紙後端検出部と、
前記浮上エアー送風部における浮上エアーの送風動作を制御する制御部と、を備え、
前記制御部は、１枚目の用紙が前記搬送ベルト上を搬送されているときに２枚目の用紙を浮上させるための浮上エアーを送風させるとともに、前記用紙後端検出部の検出結果に基づいて、２枚目の用紙が前記搬送ベルトに吸着したタイミングで、浮上エアーの送風を停止させることを特徴とする給紙装置。
【請求項２】
前記用紙後端検出部は、前記搬送ベルト上における用紙の搬送状態を検出する搬送状態検出部を含み、
前記制御部は、用紙の搬送状態が搬送から停止に切り替わることに伴い、浮上エアーの送風を停止させることを特徴とする請求項１に記載の給紙装置。
【請求項３】
前記搬送ベルトによって搬送されてきた用紙を、さらに用紙搬送方向下流側へ送り出す出口ローラー部を備え、
前記搬送ベルトは、用紙が前記出口ローラー部に到達した後、走行を停止し、
前記制御部は、前記出口ローラー部によって用紙が搬送されている場合に、用紙の搬送状態が搬送から停止に切り替わることに伴い、浮上エアーの送風を停止させることを特徴とする請求項２に記載の給紙装置。
【請求項４】
前記搬送ベルトに用紙が吸着していることを検出する吸着状態検出部を備え、
前記制御部は、前記吸着状態検出部によって用紙の吸着が検出されない場合に、浮上エアーの送風を停止させることを特徴とする請求項２又は３に記載の給紙装置。
【請求項５】
前記搬送状態検出部が、前記吸着状態検出部としての機能を兼用することを特徴とする請求項４に記載の給紙装置。
【請求項６】
前記搬送状態検出部は、前記搬送ベルト上の用紙からの反射光を元に得られる画像情報の変化によって、当該用紙の搬送状態を検出することを特徴とする請求項２から５のいずれか一項に記載の給紙装置。
【請求項７】
前記搬送状態検出部は、前記搬送ベルト状の用紙に当接する回転体を有し、前記回転体の回転状況によって、当該用紙の搬送状態を検出することを特徴とする請求項２から５のいずれか一項に記載の給紙装置。
【請求項８】
前記浮上エアー送風部は、前記用紙収容部に収容されている用紙に対して用紙搬送方向下流側から浮上エアーを送風する第１の送風態様と、前記搬送ベルトに吸着した用紙に対して用紙搬送方向下流側から分離エアーを送風する第２の送風態様と、に送風態様を切り替え可能な分離エアー送風部を含むことを特徴とする請求項１から７のいずれか一項に記載の給紙装置。
【請求項９】
請求項１から８のいずれか一項に記載の給紙装置と、
前記給紙装置に接続され、前記給紙装置から給紙された用紙に対して画像を形成する画像形成装置と、を備えることを特徴とする画像形成システム。
【発明の詳細な説明】
【技術分野】
【０００１】
本発明は、用紙束から１枚ずつ用紙を供給する給紙装置、及び給紙装置を備える画像形成システムに関する。
【背景技術】
【０００２】
従来、複写機やプリンター等の画像形成装置に用紙を供給する給紙装置として、エアー方式の給紙装置が知られている（例えば特許文献１）。特許文献１に記載されているように、エアー方式の給紙装置（以下「エアー給紙装置」と称する）は、用紙収容部、吸着搬送部、浮上エアー送風部、分離エアー送風部、及び出口ローラー部等を備える。
吸着搬送部は、多数の吸引孔を有する無端状の搬送ベルトと、搬送ベルトの内部に設置されるエアー吸引部を有する。吸着搬送部は、用紙収容部の上方に配置され、用紙収容部に積載されている用紙束から１枚ずつ用紙を吸着して搬送する。浮上エアー送風部は、用紙搬送方向に直交する方向（用紙幅方向の両端側）から用紙束の側方に送風を行い用紙束の上位数枚の用紙を浮上させる。分離エアー送風部は、用紙搬送方向下流側から搬送ベルトに吸着した複数枚の用紙に向けて送風を行い最上位の１枚だけを分離する。出口ローラー部は、吸着搬送部の用紙搬送方向下流側に配置され、吸着搬送部によって搬送されてきた用紙をさらに下流側に送出する。
【０００３】
エアー給紙装置においては、浮上エアー送風部の送風によって用紙を浮上させ、この浮上した用紙をエアー吸引部によって搬送ベルトに吸着させる。この状態で搬送ベルトが走行することにより、用紙が搬送される。また、搬送ベルトに２枚以上の用紙が吸着して搬送される、いわゆる重送が生じるのを防止するため、搬送ベルトに直接吸着する１枚目の用紙（用紙束の最上位の用紙）と１枚目の用紙を介して搬送ベルトに吸着する２枚目の用紙との紙間に、分離エアー送風部によって分離エアーが送風される。
【０００４】
吸着搬送部によって搬送された１枚目の用紙が出口ローラー部に到達すると、搬送ベルトの走行は停止され、出口ローラー部によって用紙の搬送が行われる。吸着搬送部においては、１枚目の用紙が搬送ベルトの搬送面に沿って摺動することになる。そして、出口ローラー部によって所定長の搬送が行われた後、次の用紙（２枚目の用紙）を給紙するための浮上エアーの送風が開始される。１枚目の用紙の後端位置が吸着搬送部内に進入すると、徐々に２枚目の用紙が表面に現れて搬送ベルトに直接吸着していく。
【先行技術文献】
【特許文献】
【０００５】
【特許文献１】特許第４９５２５２４号公報
【発明の概要】
【発明が解決しようとする課題】
【０００６】
上述したように、２枚目の用紙を給紙するための浮上エアーの送風が行われると、吸着搬送部においては、搬送中の１枚目の用紙に２枚目の用紙が押し付けられるため、重送が生じやすくなる。重送の発生を防止するためには、２枚目の用紙が搬送ベルトに十分に吸着した時点、すなわち１枚目の用紙の後端がある程度吸着搬送部内に進入した結果、浮上エアーの送風を停止させても２枚目の用紙の搬送ベルトへの吸着状態が保持されることとなる時点で、浮上エアーの送風を最小限に抑えることが有効である。しかしながら、従来の給紙装置では、２枚目の用紙が搬送ベルトに十分に吸着したことを検出できないため、浮上エアーの送風を最適なタイミングで停止させるのは困難である。
【０００７】
すなわち、従来の給紙装置は、搬送ベルトに用紙が吸着していることを検出する吸着状態検出部を備えているが、１枚目の用紙の搬送中に２枚目の用紙が搬送ベルトに吸着する場合、搬送ベルトに吸着している用紙が１枚目の用紙であるのか２枚目の用紙であるのかを吸着状態検出部によって判別することはできない。吸着状態検出部は、用紙が吸着していることを継続して検出するだけである。
【０００８】
また、用紙の搬送（搬送ベルトの走行）を開始してからの時間によって１枚目の用紙の後端位置を特定し、これに基づいて浮上エアーの送風を制御することも考えられる。しかしながら、出口ローラー部において用紙の傾きを解消するためのレジスト動作が行われたり、先に搬送された用紙が搬送経路上にあるために１枚目の用紙の搬送が中断されたりすることがある。そのため、用紙の搬送を開始してからの時間によって特定される１枚目の用紙の後端位置は安定しない。したがって、この手法による送風制御では、浮上エアーの送風を最適なタイミングで停止させることができるとは限らない。例えば、１枚目の用紙の搬送時間が想定していたよりも長くなると、２枚目の用紙が搬送ベルトに十分に吸着していないにもかかわらず、浮上エアーの送風が停止されることとなり、給紙不良を生じる虞がある。
【０００９】
また、制御信号に基づいて出口ローラー部の駆動時間を積算し、実際に搬送された用紙長を算出することにより用紙の後端位置を特定し、これに基づいて浮上エアーの送風を制御することも考えられる。しかしながら、制御が複雑になる上、電磁クラッチや駆動系の劣化、設定用紙サイズと実際の用紙サイズのずれ、摩耗等によるローラー径の変化等が生じるため、制御信号に基づいて算出される用紙長と実際に搬送された用紙長とは、厳密には一致しない。特に、搬送速度が速くなる程、制御信号に基づいて算出される用紙長と実際に搬送された用紙長とのずれが大きくなる。したがって、この手法による送風制御でも、浮上エアーの送風を最適なタイミングで停止させることはできない。
【００１０】
このように、従来の給紙装置においては、１枚目の用紙の後端位置を間接的に求めることしかできないため、重送の防止に有効な最適なタイミングで浮上エアーの送風を停止させることは困難である。
【００１１】
本発明の目的は、１枚目の用紙の搬送中に２枚目の用紙が搬送ベルトに吸着することに伴う重送の発生を防止でき、用紙を１枚ずつ給紙できる給紙装置、及びこのような給紙装置を備える画像形成システムを提供することである。
【課題を解決するための手段】
【００１２】
本発明に係る給紙装置は、多数枚の用紙を収容する用紙収容部と、
全面に複数の吸引孔を有し、前記用紙収容部に収容されている用紙を吸着して搬送する無端状の搬送ベルトと、
前記搬送ベルトに内包され、前記吸引孔を介して前記用紙収容部に収容されている用紙を吸引し、前記搬送ベルトに吸着させるエアー吸引部と、
前記用紙収容部に収容されている用紙に浮上エアーを送風して用紙を浮上させる浮上エアー送風部と、
用紙搬送方向における前記搬送ベルトの搬送面の範囲内の所定の位置に配置され、１枚目の用紙の後端が前記所定の位置を通過したことを検出する用紙後端検出部と、
前記浮上エアー送風部における浮上エアーの送風動作を制御する制御部と、を備え、
前記制御部は、１枚目の用紙が前記搬送ベルト上を搬送されているときに２枚目の用紙を浮上させるための浮上エアーを送風させるとともに、前記用紙後端検出部の検出結果に基づいて、２枚目の用紙が前記搬送ベルトに吸着したタイミングで、浮上エアーの送風を停止させることを特徴とする。
【００１３】
本発明に係る画像形成システムは、上記の給紙装置と、
前記給紙装置に接続され、前記給紙装置から給紙された用紙に対して画像を形成する画像形成装置と、を備えることを特徴とする。
【発明の効果】
【００１４】
本発明によれば、１枚目の用紙の後端が所定の位置を通過するタイミング、すなわち２枚目の用紙が搬送ベルトに十分に吸着したタイミングを直接的に検出することができる。したがって、この最適なタイミングで浮上エアーの送風を停止させるという極めて簡単な制御により、１枚目の用紙の搬送中に２枚目の用紙が搬送ベルトに吸着することに伴う重送の発生を防止することができる。
【図面の簡単な説明】
【００１５】
【図１】本発明の実施の形態に係る画像形成システムの全体構成を示す図である。
【図２】給紙装置の制御系の主要部を示す図である。
【図３】給紙装置の要部である給紙ユニットを示す斜視図である。
【図４】図３におけるＩＩＩ−ＩＩＩ矢視断面図である。
【図５】吸着搬送部の下方斜視図である。
【図６】給紙装置における給紙処理の一例を示すフローチャートである。
【図７】給紙装置の各ブロックの給紙時の動作を示すタイミングチャートである。
【発明を実施するための形態】
【００１６】
以下、本発明の実施の形態を図面に基づいて詳細に説明する。
図１は、本発明の実施の形態に係る画像形成システム１の全体構成を示す図である。図１に示すように、画像形成システム１は、画像形成装置２０の側方（図１では右側）に外付け型の大容量給紙装置１０（以下「給紙装置１０」と称する）が接続された構成を有する。
【００１７】
給紙装置１０は、内部に三段の給紙ユニット１０Ａ〜１０Ｃを備え、画像形成装置２０に用紙を１枚ずつ給紙する。給紙装置１０は、図２に示すように、ＣＰＵ（Central Processing Unit）１０１、ＲＯＭ（Read Only Memory）１０２、ＲＡＭ（Random Access Memory）１０３等を有する制御部１００を備える。制御部１００は、画像形成装置２０の制御部２８と協働して、給紙装置１０の各ブロックの動作を集中制御する。具体的には、制御部１００は、画像形成装置２０からの制御信号、又は後述する吸着状態検出部１８１、用紙検出部１８２、搬送状態検出部１８３、用紙高さ検出部１８４からの入力信号等に基づいて、用紙収容部１１、吸着搬送部１２、浮上エアー送風部１３、分離エアー送風部１４、及び出口ローラー部１５の動作を制御する。給紙ユニット１０Ａ〜１０Ｃの詳細については後述する。
【００１８】
画像形成装置２０は、電子写真プロセス技術を利用した中間転写方式のカラー画像形成装置である。画像形成装置２０には、ＣＭＹＫの４色に対応する感光ドラムを中間転写ベルトの走行方向（鉛直方向）に直列配置し、中間転写ベルトに一回の手順で各色トナー像を順次転写させる縦型タンデム方式が採用されている。すなわち、画像形成装置２０は、感光ドラム上に形成されたＹ（イエロー）、Ｍ（マゼンタ）、Ｃ（シアン）、Ｋ（ブラック）の各色トナー像を中間転写ベルトに転写（一次転写）し、中間転写ベルト上で４色のトナー像を重ね合わせた後、用紙に転写（二次転写）することにより、画像を形成する。
【００１９】
画像形成装置２０は、画像読取部２１、操作表示部２２、画像処理部２３、画像形成部２４、定着部２５、給紙部２６、用紙搬送部２７、及び制御部２８を備える。
【００２０】
制御部２８は、ＣＰＵ（Central Processing Unit）、ＲＯＭ（Read Only Memory）、ＲＡＭ（Random Access Memory）等を備える。ＣＰＵは、ＲＯＭから処理内容に応じたプログラムを読み出してＲＡＭに展開し、展開したプログラムと協働して画像形成装置２０の各ブロックの動作を集中制御する。また、制御部２８は、給紙装置１０の制御部１００と協働して、給紙装置１０の動作を制御する。
【００２１】
画像読取部２１は、自動原稿給紙装置（ＡＤＦ：Auto Document Feeder）及び原稿画像走査装置（スキャナー）等を備える。画像読取部２１において、自動原稿給紙装置からコンタクトガラス上に搬送された原稿又はコンタクトガラス上に載置された原稿が原稿画像走査装置によって読み取られ、入力画像データが生成される。
【００２２】
操作表示部２２は、例えばタッチパネル付の液晶ディスプレイ（ＬＣＤ：Liquid Crystal Display）で構成され、表示部及び操作部として機能する。
【００２３】
画像処理部２３は、入力画像データに対して、初期設定又はユーザー設定に応じた階調補正、色補正、シェーディング補正等の各種補正処理や、圧縮処理等のデジタル画像処理を行う。これらの処理が施された画像データに基づいて、画像形成部２４が制御される。
【００２４】
画像形成部２４は、画像データに基づいて、Ｙ成分、Ｍ成分、Ｃ成分、Ｋ成分の各有色トナーによる画像を形成する。画像形成部２４は、感光ドラム、帯電装置、露光装置、現像装置、及び中間転写装置を備える。画像形成部２４においては、感光体ドラムの表面が帯電装置によって一様に帯電される。この帯電した感光ドラムに対して、露光装置によって画像データに基づくレーザー光が照射されることにより、感光ドラムの表面に静電潜像が形成される。そして、静電潜像が形成された感光ドラムに対して、現像装置によってトナーが供給されることにより、静電潜像が可視化されてトナー像が形成される。このトナー像が、中間転写ベルト等を有する中間転写装置によって用紙に転写される。
【００２５】
定着部２５は、用紙の定着面（トナー像が形成されている面）側に配置される定着面側部材を有する上側定着部、用紙の裏面（定着面の反対の面）側に配置される裏面側支持部材を有する下側定着部、及び加熱源等を備える。定着面側部材に裏面側支持部材が圧接されることにより、用紙を狭持して搬送する定着ニップが形成される。
定着部２５は、トナー像が二次転写され、搬送されてきた用紙を、定着ニップで加熱、加圧することにより、用紙にトナー像を定着させる。
【００２６】
給紙部２６は、複数（図１では三段）の給紙トレイを有する。給紙トレイには、坪量やサイズ等に基づいて識別された用紙（規格用紙、特殊用紙）が予め設定された種類ごとに収容される。
【００２７】
用紙搬送部２７は、給紙部２６又は給紙装置１０から給紙された用紙を画像形成部２４に搬送する。画像形成部２４の二次転写部を用紙が通過する際、中間転写ベルト上のトナー像が用紙の一方の面（表面）に一括して二次転写され、定着部２５において定着処理が施される。画像が形成された用紙は、排紙ローラーにより機外に排紙される。用紙の両面に画像を形成する場合は、表面に画像が形成された用紙が裏面用搬送路に搬送され、反転した状態で画像形成部２４に搬送される。
【００２８】
図３は、給紙装置１０の要部である給紙ユニット１０Ａ〜１０Ｃを示す斜視図である。図３では、吸着搬送部１２を用紙搬送方向下流側に矢印Ｚ分だけずらして示している。図４は、図３におけるＩＩＩ−ＩＩＩ矢視断面図である。以下において、「用紙搬送方向下流側」を「前端側」、「用紙搬送方向上流側」を「後端側」と称することもある。
【００２９】
図３、４に示すように、それぞれの給紙ユニット１０Ａ〜１０Ｃは、用紙収容部１１、吸着搬送部１２、浮上エアー送風部１３、分離エアー送風部１４、出口ローラー部１５、及びガイド部１６等を備える。
用紙収容部１１は、用紙載置台１１１、前端規制部材１１２、後端規制部材１１３、側端規制部材１１４、１１５を有し、大量の用紙を収容する。例えば、給紙ユニット１０Ａの用紙収容部１１には１３００枚、給紙ユニット１０Ｂ、１０Ｃの用紙収容部１１にはそれぞれ１８５０枚、全体として５０００枚程度の用紙が収容される。用紙収容部１１は、それぞれガイドレールによって給紙装置１０から引き出し可能となっている。
【００３０】
用紙載置台１１１は、載置されている用紙束ＳＳの上端面（最上位の用紙）が常に一定の位置となるように昇降可能となっている。用紙載置台１１は、用紙の補給時には、最下部まで下降する。用紙載置台１１１の昇降動作は、制御部１００によって制御される。
前端規制部材１１２は、用紙載置台１１の前端に固定され、用紙束ＳＳの前端位置を規制する。
【００３１】
後端規制部材１１３は、用紙搬送方向に移動可能に構成され、用紙束ＳＳの用紙長に対応して配置される。後端規制部材１１３は、用紙束ＳＳを後端側から軽く押圧して、用紙束ＳＳの後端位置を規制する。後端規制部材１１３は、浮上エアー送風部１３又は分離エアー送風部１４の送風により用紙が浮上した場合も含めて常に用紙の後端位置を規制できるような高さと形状を有する。
後端規制部材１１３には、用紙載置台１１１に積載された用紙束ＳＳの最上部の高さを検知する用紙高さ検出部１８４が配置される。この用紙高さ検出部１８４の検出結果に基づいて、制御部１００は、用紙載置台１１１の昇降動作を制御する。
【００３２】
側端規制部材１１４、１１５は、用紙幅方向に移動可能に構成され、用紙束ＳＳの用紙幅に対応して配置される。側端規制部材１１４、１１５は、用紙束ＳＳを用紙幅方向両側から軽く押圧して、用紙束ＳＳの側端位置を規制する。
側端規制部材１１４、１１５は中空構造を有し、内部に浮上エアー送風部１３が配置される。側端規制部材１１４、１１５は、内面（用紙束ＳＳに当接する面）の上部に、浮上エアー送風部１３から送風されたエアーの送風口１１４ａ、１１５ａを有する。送風口１１４ａ、１１５ａは、用紙搬送方向において、吸着搬送部１２と少なくとも一部が重なるように配置される。
【００３３】
吸着搬送部１２は、用紙幅方向に並設された第１の吸着搬送部１２Ａ、第２の吸着搬送部１２Ｂ、第３の吸着搬送部１２Ｃ、及び第４の吸着搬送部１２Ｄを有し、用紙載置台１１１の上方に配置される。第１の吸着搬送部１２Ａ〜第４の吸着搬送部１２Ｄは、ほぼ同様の構成を有するので、図示及び説明の便宜上、共通する構成要素は同一の符号で示し、それぞれを区別する場合には符号にＡ、Ｂ、Ｃ、又はＤを添えて示すこととする。
【００３４】
吸着搬送部１２の詳細な構成を図５に示す。図５は、吸着搬送部１２の下方斜視図である。図５に示すように、吸着搬送部１２は、無端状の搬送ベルト１２１及び搬送ベルト１２１の内部に配置されるエアー吸引部１２２を有する。
搬送ベルト１２１は、全面にわたって多数の吸引孔１２１ａを有する。搬送ベルト１２１は、エアー吸引部１２２の用紙搬送方向上流側に設けられた大径ローラー１２３と、前方に設けられた二つの小径ローラー１２４、１２５（区別する場合は、「上側小径ローラー１２４」、「下側小径ローラー１２５」と称する）に巻回される。大径ローラー１２３及び小径ローラー１２４、１２５は、巻回される搬送ベルト１２１が横ずれしないように、太鼓状（クラウン状）に形成される。さらには、大径ローラー１２３及び小径ローラー１２４、１２５は、軸方向両端部の周縁に鍔を有するようにしてもよい。
【００３５】
大径ローラー１２３Ａ〜１２３Ｄは、それぞれの搬送ベルト１２１Ａ〜１２１Ｄに対応して、共通のローラー軸１２３ａに取り付けられる。ローラー軸１２３ａは、動力伝達機構（図示略）を介して駆動モーターに接続される。制御部１００が駆動モーターを駆動させることに伴い、大径ローラー１２３が回転し、搬送ベルト１２１が一定の方向に走行する。
【００３６】
上側小径ローラー１２４Ａ〜１２４Ｄは、それぞれの搬送ベルト１２１Ａ〜１２１Ｄに対応して、共通のローラー軸１２４ａに取り付けられる。大径ローラー１２３の最上部の位置と上側小径ローラー１２４の最上部の位置は同じである。上側小径ローラー１２４は、搬送ベルト１２１の走行に従動して回転する。
【００３７】
外側の搬送ベルト１２１Ａ、１２１Ｄが巻回される下側小径ローラー１２５Ａ、１２５Ｄは、それぞれローラー軸１２５ａ、１２５ｃに取り付けられる。大径ローラー１２３の最下部の位置と下側小径ローラー１２５の最下部の位置は同じである。すなわち、搬送ベルト１２１Ａ、１２１Ｄによる用紙の搬送面は水平面となる。下側小径ローラー１２５Ａ、１２５Ｄは、搬送ベルト１２１の走行に従動して回転する。
【００３８】
内側の搬送ベルト１２１Ｂ、１２１Ｃが巻回される下側小径ローラー１２５Ｂ、１２５Ｃは、共通のローラー軸１２５ｂに取り付けられる。また、大径ローラー１２３Ｂと下側小径ローラー１２５Ｂの間、大径ローラー１２３Ｃと下側小径ローラー１２５Ｃの間には中間支持ローラー１２８が配置される。
中間支持ローラー１２８の最下部の位置は、大径ローラー１２３Ｂ、１２３Ｃの最下部の位置とほぼ同じであり、下側小径ローラー１２５Ｂ、１２５Ｃの最下部の位置は、中間支持ローラー１２８の最下部の位置よりも高い。すなわち、搬送ベルト１２１Ｂ、１２１Ｃによる用紙の搬送面は、大径ローラー１２３から中間支持ローラー１２８に至る領域では水平面となり、中間支持ローラー１２８から下側小径ローラー１２５Ｂ、１２５Ｃに至る領域では用紙搬送方向下流側に向かって上方に傾斜する傾斜面となる。下側小径ローラー１２５Ｂ、１２５Ｃ、及び中間支持ローラー１２８は、搬送ベルト１２１の走行に従動して回転する。
【００３９】
エアー吸引部１２２は、搬送ベルト１２１Ａ〜１２１Ｄを貫通して装置奥側（第１の吸着搬送部１２Ａ側）に延び、搬送ベルト１２１Ａ〜１２１Ｄに対応する部分の下面に吸引口を有する吸引ダクト１２２ａと、吸引ダクト１２２ａの最も奥側に配置される吸引ファン（図示略）を有する。吸引ファンが作動すると、吸引ダクト１２２ａ内が負圧となり、吸引孔１２１ａを介して用紙が搬送ベルト１２１に吸引され、吸着する。吸引ファンの動作は、制御部１００によって制御される。
【００４０】
吸着搬送部１２の前端側では、第１の吸着搬送部１２Ａ及び第４の吸着搬送部１２Ｄによる搬送面に対して、第２の吸着搬送部１２Ｂ及び第３の吸着搬送部１２Ｃによる搬送面が上方に位置することになる。このように、本実施の形態では、第１の吸着搬送部１２Ａ〜第４の吸着搬送部１２Ｄによる用紙の搬送面の位相をずらすことにより、１枚目の用紙に、上に凸状のコルゲーションを形成する。２枚目の用紙にエアー吸引部１２２の吸引力が及ばないようにすれば、２枚目の用紙Ｓ２の平坦形状は保持されるので、１枚目の用紙と２枚目の用紙との紙間（分離エアーの風路）が拡がる。
【００４１】
すなわち、本実施の形態では、第１〜第４の吸着搬送部１２Ａ〜１２Ｄによって、用紙のコルゲーションを形成するコルゲーション形成部が構成される。なお、コルゲーション形成部は、搬送ベルトに吸着した用紙を上又は下に押圧する押圧部材を設ける等、その他の手法によって実現することもできる。
【００４２】
吸着搬送部１２には、用紙が搬送ベルト１２１に吸着しているか否かを検出する吸着状態検出部１８１が配置される。吸着状態検出部１８１は、例えば検出フラップ１８１ａと透過型の光センサー（フォトインタラプター）１８１ｂで構成される。検出フラップ１８１ａは、例えば大径ローラー１２３Ｂと大径ローラー１２３Ｃの間に配置される。光センサー１８１ｂは、発光部（図示略）と受光部（図示略）を有し、受光部に入射した光の強度を検知する。
【００４３】
用紙が搬送ベルト１２１に吸着していない状態において、検出フラップ１８１ａは、一端側が搬送ベルト１２１の搬送面よりも下方に突出し、他端側が光センサー１８１ｂの発光部から出射した光を遮断しない位置となる。一方、用紙が搬送ベルト１２１に吸着している状態において、検出フラップ１８１ａは、一端側が搬送ベルト１２１の搬送面まで押し上げられ、他端側が光センサー１８１ｂの発光部から出射した光を遮断する位置となる。光センサー１８１ｂで検知された光の強度に基づいて、検出フラップ１８１ａの位置を検出でき、したがって、用紙が搬送ベルト１２１に吸着しているか否かを判断することができる。ただし、吸着状態検出部１８１は、搬送ベルト１２１に吸着している用紙が１枚目の用紙であるか２枚目の用紙であるかを判別することはできない。
なお、吸着状態検出部１８１は、これに限定されるものではなく、用紙が搬送ベルト１２１に吸着しているか否かを検出できる構成であればよい。
【００４４】
さらに、給紙装置１０は、用紙搬送方向における前記搬送ベルトの搬送面の範囲内の所定の位置（例えば用紙搬送方向略中央）に配置され、１枚目の用紙の後端が所定の位置を通過したことを検出する用紙後端検出部を備える。「所定の位置」とは、用紙搬送方向における搬送ベルト１２１の所定の位置から上流端までの領域に２枚目の用紙が吸着したときに、２枚目の用紙が搬送ベルト１２１に十分に吸着される、すなわち２枚目の用紙の搬送ベルト１２１への吸着状態が保持されることとなる位置である。
【００４５】
１枚目の用紙の後端が所定の位置を通過した時点で、２枚目の用紙は搬送ベルト１２１に十分に吸着しているので、このタイミングで浮上エアーを停止させても、２枚目の用紙の搬送ベルト１２１への吸着状態は保持される。すなわち、１枚目の用紙の後端が所定の位置（用紙後端検出部の用紙搬送方向における位置）を通過したタイミングが、２枚目の用紙を搬送ベルト１２１へ吸着させるための浮上エアーの送風を停止させるべき最適のタイミングとなる。この最適なタイミングで浮上エアーの送風を停止させることにより、１枚目の用紙の搬送中に２枚目の用紙が搬送ベルトに吸着することに伴う重送の発生を防止することができる。
【００４６】
本実施の形態では、用紙後端検出部は、搬送ベルト１２１上における用紙の搬送状態を検出する搬送状態検出部１８３で構成される。搬送状態検出部１８３は、例えば内側の搬送ベルト１２１Ｂ、１２１Ｃの間に、検出子が搬送ベルト１２１に吸着した用紙に近接するように配置される。
【００４７】
搬送状態検出部１８３には、例えば光学式マウスの技術を適用できる。すなわち、搬送状態検出部１８３は、発光部と、検出子としての受光部（イメージセンサー）を有し、搬送ベルト上の用紙からの反射光を元に得られる新旧の画像情報の変化によって、搬送ベルト１２１に吸着している用紙の搬送状態（搬送されているか停止しているか）を検出する。
【００４８】
また例えば、搬送状態検出部１８３には、機械式マウスの技術を適用することもできる。この場合、搬送状態検出部１８３は、検出子としての回転体（例えばローラーやボール）を有し、回転体の回転状況によって、搬送ベルト１２１に吸着している用紙の搬送状態を検出する。
【００４９】
１枚目の用紙の後端が搬送状態検出部１８３の直下を通過していないときは、検出対象は１枚目の用紙であるので、搬送状態検出部１８３は用紙が搬送されていることを検出する。一方、１枚目の用紙の後端が搬送状態検出部１８３の直下を通過した後は、検出対象は２枚目の用紙となるので、搬送状態検出部１８３は用紙が停止していることを検出する。つまり、搬送状態検出部１８３の検出結果が「搬送」から「停止」に切り替わるタイミングが、１枚目の用紙の後端が所定の位置である搬送状態検出部１８３の直下を通過したタイミング、すなわち浮上エアーの送風を停止させるべき最適なタイミングとなる。
このように、搬送状態検出部１８３によれば、用紙の後端が所定の位置を通過したことを、簡易な構成で容易に検出することができる。
【００５０】
浮上エアー送風部１３は、送風ファン１３１及び導風路１３２を有する。浮上エアー送風部１３は、側端規制部材１１４、１１５のそれぞれの内部に配置される。図３では、側端規制部材１１５の内部に配置される浮上エアー送風部１３だけを図示している。送風ファン１３１は、例えば用紙のサイズ、紙質、坪量等で風量を制御し、最適な風量で送風できるようになっている。送風ファン１３１の動作は、制御部１００によって制御される。
【００５１】
側端規制部材１１５の内部に配置された浮上エアー送風部１３の導風路１３２は、送風口１１５ａに連通する。側端規制部材１１４の内部に配置された浮上エアー送風部（図示略）の導風路（図示略）は、送風口１１４ａに連通する。浮上エアー送風部１３は、側端規制部材１１４、１１５の内部に配置されているので、用紙のサイズが変更された場合でも、側端規制部材１１４、１１５の移動に伴い、浮上エアー送風部１３も一緒に移動する。
【００５２】
浮上エアー送風部１３において、送風ファン１３１が作動すると、浮上エアーが上向きに送風され、導風路１３２で９０°向きを変えられる。そして、浮上エアーは、送風口１１４ａ、１１５ａを介して、用紙幅方向両側から用紙束ＳＳの上部に送風される。これにより、用紙束ＳＳの上位数枚の用紙が浮上する。
【００５３】
分離エアー送風部１４は、送風ファン１４１及び導風路１４２を有する。分離エアー送風部１４は、前端規制部材１１２の用紙搬送方向下流側に配置される。送風ファン１４１は、例えば用紙のサイズ、紙質、坪量等で風量を制御し、最適な風量で送風できるようになっている。送風ファン１４１の動作は、制御部１００によって制御される。
【００５４】
分離エアー送風部１４は、風向切替板（図示略）を有し、吸着搬送部１２の前端近傍と、用紙束ＳＳの前端近傍とに、エアーの送風方向を切り替え可能となっていてもよい。この場合、分離エアー送風部１４は、浮上エアー送風部１３による浮上エアーの送風が行われるときには用紙束ＳＳの前端近傍に浮上エアーの送風を行い（第１の送風）、浮上エアー送風部１３による浮上エアーの送風が停止されると吸着搬送部１２の前端近傍に分離エアーの送風を行う（第２の送風）。つまり、分離エアー送風部１４は、浮上エアー送風部としても機能する。
【００５５】
分離エアー送風部１４において、送風ファン１４１が作動すると、導風路１４２の送風口１４２ａを介して、用紙束ＳＳの前端近傍、又は吸着搬送部１２の前端近傍にエアーが送風される。用紙束ＳＳの前端近傍に浮上エアーの送風を行うことにより、用紙束ＳＳの上位数枚の用紙を効率よく浮上させることができる。また、吸着搬送部１２の前端近傍に分離エアーの送風を行うことにより、搬送ベルト１２１に吸着した複数枚の用紙から２枚目以降の用紙を分離させ、１枚目の用紙だけを搬送ベルト１２１に吸着させて搬送することができる。
【００５６】
出口ローラー部１５は、上側搬送ローラー１５１と上側搬送ローラー１５１に当接する下側搬送ローラー１５２を有する。上側搬送ローラー１５１は駆動ローラーであり、下側搬送ローラー１５２が従動ローラーである。出口ローラー部１５は、吸着搬送部１２で搬送されてきた用紙を、上側搬送ローラー１５１と下側搬送ローラー１５２とで狭持して、用紙搬送方向下流側に送り出す。
【００５７】
ガイド部１６は、上側ガイド板１６１及び下側ガイド板１６２を有し、吸着搬送部１２によって搬送されてきた用紙を出口ローラー部１５に案内する。上側ガイド板１６１と下側ガイド板１６２とによって形成された間隙を用紙が搬送される。
【００５８】
出口ローラー部１５の用紙搬送方向上流側には用紙検出部１８２（いわゆるフィードセンサー）が配置される。用紙検出部１８２は、例えば反射型の光センサーで構成され、受光した反射光の強度に基づいて、用紙の有無を検出する。用紙検出部１８２によって用紙が出口ローラー部１５に進入し始めることを検出できる。また、出口ローラー部１５における用紙の搬送速度と用紙サイズに基づいて、出口ローラー部１５からの用紙の排出タイミングを算出することができる。用紙検出部１８２によって、紙ジャム等の給紙不良を検出することができる。
なお、出口ローラー部１５の用紙搬送方向下流側に、出口ローラー部１５から用紙が排出されたことを検出するための用紙検出部を配置するようにしてもよい。
【００５９】
本実施の形態では、高速化に対応すべく、１枚目の用紙の搬送中に、２枚目の用紙を搬送ベルト１２１に吸着させるための浮上エアーの送風を開始する。そして、１枚目の用紙の後端がある程度吸着搬送部１２内に進入して所定の位置（搬送状態検出部１８３の位置）を通過した時点、すなわち、２枚目の用紙が搬送ベルト１２１に十分に吸着したと判断できる時点で、浮上エアーの送風を停止させる。
【００６０】
図６は、給紙装置１０における給紙処理の一例を示すフローチャートである。図７は、給紙装置１０の各ブロックの給紙時の動作を示すタイミングチャートである。
図６、７に示す給紙処理は、例えば、画像形成装置２０から給紙開始情報が入力されることに伴い、ＣＰＵ１０１がＲＯＭ１０２に格納されている所定のプログラムを実行することにより実現される。なお、分離エアー送風部１４は、吸着搬送部１２の前端近傍と、用紙束ＳＳの前端近傍とに、エアーの送風方向を切り替え可能となっているものとする。
【００６１】
ステップＳ１０１において、制御部１００は、エアー吸引部１２２を制御してエアーによる吸引を開始させる。エアー吸引部１２２は、給紙処理が終了するまで常時エアーによる吸引を行う。
【００６２】
ステップＳ１０２において、制御部１００は、浮上エアー送風部１３を制御して用紙束ＳＳの上部側方に浮上エアーを送風させる。また、制御部１００は、分離エアー送風部１４を制御して用紙束ＳＳの上部前方に浮上エアーを送風させる（図７のタイミングｔ１）。用紙収容部１１に収容された用紙束ＳＳの上位数枚の用紙は、自重に抗して浮上する。浮上した用紙は、エアー吸引部１２２によって吸引され、搬送ベルト１２１に吸着する。
【００６３】
ステップＳ１０３において、制御部１００は、吸着状態検出部１８１の検出結果に基づいて、用紙が搬送ベルト１２１に吸着しているか否かを判定する。用紙が搬送ベルト１２１に吸着すると、吸着状態検出部１８１において用紙の吸着が検出される（図７のタイミングｔ２）。用紙が搬送ベルト１２１に吸着している場合（ステップＳ１０３で“ＹＥＳ”）、処理はステップＳ１０４に移行する。用紙が搬送ベルト１２１に吸着していない場合（ステップＳ１０３で”ＮＯ”）、搬送ベルト１２１への用紙の吸着が検出されるまで待機する。ただし、浮上エアーの送風が開始されてから所定時間経過しても搬送ベルト１２１への用紙の吸着が検出されない場合は、不具合が生じていると判断できるので、給紙処理を終了する。
【００６４】
ステップＳ１０４において、制御部１００は、浮上エアー送風部１３を制御して浮上エアーの送風を停止させる。また、制御部１００は、分離エアー送風部１４を制御して送風方向を切り替え、吸着搬送部１２の前端近傍に分離エアーを送風させる（図７のタイミングｔ３）。
【００６５】
ステップＳ１０５において、制御部１００は、用紙の搬送動作を開始させる。具体的には、制御部１００は、吸着搬送部１２を制御して、搬送ベルト１２１を走行させる。また、制御部１００は、出口ローラー部１５を制御して、上側搬送ローラー１５１を回転させる（図７のタイミングｔ４）。搬送ベルト１２１が走行することにより、１枚目の用紙は搬送ベルト１２１に吸着した状態で搬送される。搬送状態検出部１８３では、用紙が搬送されていることが検出される。
このとき、分離エアー送風部１４によって、１枚目の用紙と２枚目の用紙との紙間に分離エアーが送風される。１枚目の用紙は、エアー吸引部１２２の吸引力によって搬送ベルト１２１への吸着状態が保持されるが、２枚目以降の用紙は、１枚目の用紙から分離され、用紙の自重によって沈下して用紙束ＳＳに戻る。
【００６６】
用紙の搬送動作が開始されると、程なく１枚目の用紙はガイド部１６に進入し、用紙検出部１８２において検出される（図７のタイミングｔ５）。用紙検出部１８２における用紙の検出から所定時間経過して、１枚目の用紙が出口ローラー部１５に到達すると、搬送ベルト１２１の走行は停止され、出口ローラー部１５によって用紙の搬送が行われる（図７のタイミングｔ６）。
【００６７】
ステップＳ１０６において、制御部１００は、所定長の用紙の搬送が行われたか否かを判定する。「所定長」とは、例えば用紙の後端が吸着搬送部１２に進入するのに要する長さである。用紙の搬送長は、例えば出口ローラー部１５の駆動時間に基づいて算出される。１枚目の用紙が所定長搬送された場合（ステップＳ１０６で”ＹＥＳ”）、処理はステップＳ１０７に移行する。１枚目の用紙が所定長搬送されていない場合（ステップＳ１０６で”ＮＯ”）、所定長の用紙の搬送が行われるまで待機する。
【００６８】
ステップＳ１０７において、制御部１００は、２枚目の用紙を搬送ベルト１２１に吸着させるため、浮上エアー送風部１３を制御して用紙束ＳＳの上部側方に浮上エアーを送風させる。また、制御部１００は、分離エアー送風部１４を制御して用紙束ＳＳの上部前方に浮上エアーを送風させる（図７のタイミングｔ７）。搬送中の１枚目の用紙に重ねて２枚目の用紙が搬送ベルト１２１に吸着する。１枚目の用紙の搬送が進行するにつれて、２枚目の用紙が表面に現れて搬送ベルト１２１に直接吸着していく。
【００６９】
ステップＳ１０８において、制御部１００は、出口ローラー部１５は駆動されているか否かを判定する。出口ローラー部１５が駆動されている場合、１枚目の用紙は搬送中であるため、用紙の後端が所定の位置（搬送状態検出部１８３の位置）を通過しうる、すなわち浮上エアーの送風を停止させるタイミングとなり得る。この場合（ステップＳ１０８で“ＹＥＳ”）、処理はステップＳ１０９に移行する。
一方、出口ローラー部１５が駆動されていない場合、レジスト動作中である等、用紙は搬送中でないことになるので、浮上エアーの送風を停止させるタイミングになり得ない。この場合（ステップＳ１０８で“ＮＯ”）、出口ローラー部１５が駆動されるまで待機する。
【００７０】
ステップＳ１０９において、制御部１００は、搬送状態検出部１８３の検出結果に基づいて、１枚目の用紙の後端が所定の位置を通過したか否かを判定する。搬送状態検出部１８３の検出結果が「搬送」から「停止」に切り替わった場合（図７のタイミングｔ８）、検出対象が２枚目の用紙に移行した、すなわち１枚目の用紙の後端が所定の位置を通過したことになる。この場合（ステップＳ１０９で“ＹＥＳ”）、２枚目の用紙は搬送ベルト１２１に十分に吸着していると判断できるので、処理はステップＳ１１０に移行する。なお、搬送状態検出部１８３によって用紙の停止が検出された後も、出口ローラー部１５によって１枚目の用紙は搬送ベルト１２１上を搬送される。
一方、搬送状態検出部１８３によって用紙の搬送が検出されている場合、検出対象は１枚目の用紙であり、１枚目の用紙の後端が所定の位置を通過していないことになる。この場合（ステップＳ１０９で“ＮＯ”）、２枚目の用紙は搬送ベルト１２１に十分に吸着していないと判断できるので、処理はステップＳ１０８に移行する。
【００７１】
ステップＳ１１０において、制御部１００は、浮上エアー送風部１３を制御して浮上エアーの送風を停止させる。また、制御部１００は、分離エアー送風部１４を制御して送風方向を切り替え、吸着搬送部１２の前端近傍に分離エアーを送風させる（図７のタイミングｔ９）。
【００７２】
このように、制御部１００は、出口ローラー部１５によって用紙が搬送されている場合にのみ、用紙の搬送状態が搬送から停止に切り替わることに伴い、浮上エアーの送風を停止させる。言い換えると、制御部１００は、出口ローラー部１５において用紙の傾きを解消するためのレジスト動作が行われたり、先に搬送された用紙が搬送経路上にあるために１枚目の用紙の搬送が中断されたりして、出口ローラー部１５によって用紙が搬送されていない場合には、用紙の搬送状態が搬送から停止に切り替わっても、浮上エアーの送風を停止させない。
これにより、出口ローラー部１５によって用紙が搬送されていない場合に浮上エアーの送風が停止して、２枚目の用紙の搬送ベルト１２１への吸着が阻害されるのを防止することができる。
【００７３】
なお、図６のステップＳ１０７〜Ｓ１０９の処理が行われている際に、吸着検出部１８１によって搬送ベルト１２１への用紙の吸着が検出されなくなった場合には、その時点で浮上エアーを停止させるのが好ましい。搬送ベルト１２１に用紙が吸着していない場合は、搬送状態検出部１８３によって用紙の搬送状態の変化を検出できないためである。
【００７４】
ステップＳ１１１において、制御部１００は、次の用紙の給紙要求があるか否かを判定する。次の用紙の給紙要求がある場合（ステップＳ１１１で“ＹＥＳ”）、処理はステップＳ１０５に移行し、搬送ベルト１２１に吸着している用紙の搬送が行われる。次の用紙の給紙要求がない場合（ステップＳ１１１で”ＮＯ”）、給紙処理は終了となる。
【００７５】
このように、本実施の形態に係る給紙装置１０は、多数枚の用紙を収容する用紙収容部（１１）と、全面に複数の吸引孔（１２１ａ）を有し、用紙収容部（１１）に収容されている用紙を吸着して搬送する無端状の搬送ベルト（１２１）と、搬送ベルト（１２１）に内包され、吸引孔（１２１ａ）を介して用紙収容部（１１）に収容されている用紙を吸引し、搬送ベルト（１２１）に吸着させるエアー吸引部（１２２）と、用紙収容部（１１）に収容されている用紙に浮上エアーを送風して用紙を浮上させる浮上エアー送風部（浮上エアー送風部１３、分離エアー送風部１４）と、用紙搬送方向における搬送ベルト（１２１）の搬送面の範囲内の所定の位置に配置され、１枚目の用紙の後端が所定の位置を通過したことを検出する用紙後端検出部（搬送状態検出部１８３）と、浮上エアー送風部（１３、１４）における浮上エアーの送風動作を制御する制御部（１００）と、を備える。
そして、制御部（１００）は、１枚目の用紙が搬送ベルト（１２１）上を搬送されているときに２枚目の用紙を浮上させるための浮上エアーを送風させる（図６のステップＳ１０７、図７のタイミングｔ７）とともに、用紙後端検出部（１８３）の検出結果に基づいて、２枚目の用紙が搬送ベルト（１２１）に吸着したタイミング（図７のタイミングｔ８）で、浮上エアーの送風を停止させる（ステップＳ１０９、Ｓ１１０）。
【００７６】
給紙装置１０によれば、１枚目の用紙の後端が所定の位置を通過するタイミング、すなわち２枚目の用紙が搬送ベルト１２１に十分に吸着したタイミングを直接的に検出することができる。したがって、この最適なタイミングで浮上エアーの送風を停止させるという極めて簡単な制御により、１枚目の用紙の搬送中に２枚目の用紙が搬送ベルト１２１に吸着することに伴う重送の発生を防止することができる。
【００７７】
以上、本発明者によってなされた発明を実施の形態に基づいて具体的に説明したが、本発明は上記実施の形態に限定されるものではなく、その要旨を逸脱しない範囲で変更可能である。
例えば、搬送状態検出部１８３を、搬送ベルト１２１に用紙が吸着しているか否かを検出できる構成とし、吸着状態検出部１８１の機能を兼用させるようにしてもよい。これにより、部品点数が減少するので、設計上の自由度が高まるとともに、製造コストを低減することができる。
また例えば、搬送ベルト１２１の数は実施の形態で示したように４つに限定されず、給紙装置１０は搬送ベルト１２１を少なくとも１つ備えていればよい。
また例えば、画像形成装置２０の給紙部２６に、給紙装置１０の構成を適用することもできる。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７９】
１  画像形成システム
１０  給紙装置
１０Ａ、１０Ｂ、１０Ｃ  給紙ユニット
１００  制御部
１１  用紙収容部
１１１  用紙載置台
１１２  前端規制部材
１１３  後端規制部材
１１４、１１５  側端規制部材
１２  吸着搬送部
１２Ａ〜１２Ｄ  第１の吸着搬送部〜第４の吸着搬送部
１２１  搬送ベルト
１２２  エアー吸引部
１２３  大径ローラー
１２４  上側小径ローラー
１２５  下側小径ローラー
１３  浮上エアー送風部
１３１  送風ファン
１３２  導風路
１４  分離エアー送風部
１４１  送風ファン
１４２  導風路
１５  出口ローラー部
１５１  上側搬送ローラー
１５２  下側搬送ローラー
１６  ガイド部
１６１  上側ガイド板
１６２  下側ガイド板
１８１  吸着状態検出部
１８２  用紙検出部
１８３  搬送状態検出部
２０  画像形成装置
２１  画像読取部
２２  操作表示部
２３  画像処理部
２４  画像形成部
２５  定着部
２６  給紙部
２７  用紙搬送部
２８  制御部
【図１】
2015016954.tif 000003
【図２】
2015016954.tif 000004
【図３】
2015016954.tif 000005
【図４】
2015016954.tif 000006
【図５】
2015016954.tif 000007
【図６】
2015016954.tif 000008
【図７】
2015016954.tif 000009